(57)【要約】【課題】細かく切り砕かれた食材がカップから飛散するのを防止する蓋が自動で下降及び上昇する自動ミキサーで、カップが蓋とともに上昇しないようにする。【解決手段】自動ミキサー１０は、容器台３０に載置したカップ２０の上部開口を覆う蓋６１と回転刃４４が自動で上下方向に移動するように制御されており、容器台３０にはカップ２０の下部が嵌合する嵌合凹部３１を備え、カップ２０の下部外周面には垂直方向から水平方向に所定角度傾斜した複数の突条２１と、容器台３０の嵌合凹部３１の内周面には垂直方向から水平方向に所定角度傾斜してカップ２０の突条２１が上下方向に摺動可能に係合する複数の凹溝３２とを備えた。【選択図】図２
2011156226.tif 000002
【特許請求の範囲】
【請求項１】
果実や飲料等の食材を収容するための容器と、
前記容器を載置する容器台と、
前記容器台に載置した前記容器の上側で上下方向に移動可能に設けられてモータにより回転する回転軸と、
前記回転軸の下部に取り付けられて前記容器内の食材を切り砕く回転刃と、
前記容器台に載置した前記容器の上側で上下方向に移動可能に設けられて前記容器の上部開口を覆う蓋とを備え、
食材を収容した前記容器を前記容器台に載置し、前記蓋を下降させることで前記容器の上部開口を覆うとともに前記回転刃を前記容器内に下降させて回転させることで前記容器内の食材を切り砕き、その後前記蓋及び前記回転刃を上昇させて前記容器から離脱させるようにした自動ミキサーであって、
前記容器台には前記容器の下部が上方から嵌合する嵌合凹部を備え、
前記容器台の嵌合凹部の内周面と前記容器の下部外周面との何れか一方には垂直方向から水平方向に所定角度傾斜した複数の突条を備え、
前記容器台の嵌合凹部の内周面と前記容器の下部外周との他方には垂直方向から水平方向に所定角度傾斜して前記突条が摺動可能に係合する複数の凹溝を備えたことを特徴とする自動ミキサー。
【請求項２】
請求項１に記載の自動ミキサーにおいて、
前記突条は前記凹溝に対する入口部の幅が狭くなるようなテーパを形成したことを特徴とする自動ミキサー。
【請求項３】
請求項１または２に記載の自動ミキサーにおいて、
前記凹溝は前記突条に対する入口部の幅が広くなるようなテーパを形成したことを特徴とする自動ミキサー。
【請求項４】
請求項１〜３の何れか１項に記載の自動ミキサーにおいて、
前記突条及び前記凹溝を垂直方向から水平方向に１５°〜３０°の間で傾斜させるようにしたことを特徴とする自動ミキサー。
【発明の詳細な説明】
【技術分野】
【０００１】
本発明は、果実、野菜や飲料等からなる食材を切り砕いてジュースを作るための自動ミキサーに関する。
【背景技術】
【０００２】
本願出願人は、本発明に先立って、果物、野菜や飲料等からなる食材を細かく切り砕いてジュースにする自動ミキサーを開発した。この自動ミキサーは、顧客に提供するカップ２内で食材を直接細かく切り砕いてジュースを作るための装置であり、食材を切り砕く回転刃６及びカップ２から細かく切り砕かれた食材が飛散するのを防止する蓋７が自動で昇降するようにしたものである。この自動ミキサーは、図８に示すように、ハウジング１の下部に果物や飲料等の食材を収容するカップ２を載置する容器台３と、容器台３に載置したカップ２の上側で上下方向に移動可能に設けられてモータ４により回転する回転軸５と、回転軸５の下端部に取り付けられてカップ２内の食材を細かく切り砕く回転刃６と、回転刃６より上側となる位置で回転軸５に支持されてカップ２の上部開口を覆う蓋７とを備えている。
【０００３】
この自動ミキサーは、以下に示す制御により、容器台３に載置したカップ２内の食材を細かく砕いてジュースにする。容器台３に果物等の食材を収容したカップ２を載置して図示しない操作パネルのスイッチをオンすると、昇降用モータ８の駆動により、回転軸５がカップ２の上側にある位置から下降する。これにより、蓋７はカップ２の上部開口を覆うようになり、回転刃６はカップ２内に収容される位置となる。回転刃６がカップ２内に収容される位置まで回転軸５が下降すると、昇降用モータ８の駆動により回転刃６をカップ２内で上下方向に数回移動させながらモータ４により回転刃６を回転させる。これにより、カップ２内の食材が細かく切り砕かれて果物等によるジュースが作られる。次に、昇降用モータ８の駆動により、回転軸５をカップ２の上側に上昇させと、蓋７はカップ２の上部開口から離脱して上昇し、回転刃６はカップ２の上側に移動する。回転軸５がカップ２の上側に上昇すると、容器台３に載置したカップ２を取り出すことが可能となる。
【発明の概要】
【発明が解決しようとする課題】
【０００４】
上述した自動ミキサーにより果物等の食材を用いたジュースを作るときに、カップ２の上部開口を蓋７により覆った状態で回転刃６を回転させると、カップ２内は回転刃６の回転により減圧され、蓋７はカップ２に吸着することがある。このような状態で、昇降用モータ８を用いて回転軸５とともに蓋７を上昇させると、カップ２が蓋７とともに上昇してから、カップ２が内部のジュースの自重により落下して零れることがあった。そこで、容器台３にカップ２の下部を着脱可能に嵌合固定させる筒状のホルダを設け、このホルダにカップ２の下部を強く嵌合固定すれば、カップ２が蓋７に吸着して上昇することがない。しかし、カップ２をホルダに強く嵌合固定すると、カップ２を取り外す力加減によっては、カップ２を取り外すときにジュースがこぼれ落ちることがあった。本発明はこのような問題を解決することを目的とする。
【課題を解決するための手段】
【０００５】
本発明は上記課題を解決するため、果実や飲料等の食材を収容するための容器と、容器を載置する容器台と、容器台に載置した容器の上側で上下方向に移動可能に設けられてモータにより回転する回転軸と、回転軸の下部に取り付けられて容器内の食材を切り砕く回転刃と、容器台に載置した容器の上側で上下方向に移動可能に設けられて容器の上部開口を覆う蓋とを備え、食材を収容した容器を容器台に載置し、蓋を下降させることで容器の上部開口を覆うとともに回転刃を容器内に下降させて回転させることで容器内の食材を切り砕き、その後蓋及び回転刃を上昇させて容器から離脱させるようにした自動ミキサーであって、容器台には容器の下部が上方から嵌合する嵌合凹部を備え、容器台の嵌合凹部の内周面と容器の下部外周面との何れか一方には垂直方向から水平方向に所定角度傾斜した複数の突条を備え、容器台の嵌合凹部の内周面と容器の下部外周との他方には垂直方向から水平方向に所定角度傾斜して突条が摺動可能に係合する複数の凹溝を備えたことを特徴とする自動ミキサーを提供するものである。
【０００６】
上記のように構成した自動ミキサーにおいては、容器台には容器の下部が上方から嵌合する嵌合凹部を備え、容器台の嵌合凹部の内周面と容器の下部外周面との何れか一方には垂直方向から水平方向に所定角度傾斜した複数の突条を備え、容器台の嵌合凹部の内周面と容器の下部外周との他方には垂直方向から水平方向に所定角度傾斜して突条が上下方向に摺動可能に係合する複数の凹溝を備えたので、容器内の食材を回転刃の回転により切り砕いた後で、容器の上面開口を覆う蓋を上昇させるときに、蓋が容器に吸着したとしても、容器と容器台とは垂直方向から水平方向に所定角度傾斜した突条と凹溝とが係合しているので、容器は蓋とともに上昇しないようになる。また、容器を回転させるようにして上方に持ち上げて突条を凹溝に摺動させれば、容器を容器台の嵌合凹部に複雑な動きをさせることなく嵌合させることができ、また、容器を容器台の嵌合凹部から大きな力を加えることなく取り外すことができる。
【０００７】
上記のように構成した自動ミキサーにおいては、突条は凹溝に対する入口部の幅が狭くなるようなテーパを形成するのが好ましく、このようにすれば、容器を容器台の嵌合凹部に嵌合させるときに、突条を凹溝に係合させるのが容易となる。
【０００８】
また、上記のように構成した自動ミキサーにおいては、凹溝の突条に対する入口部の幅が広くなるようなテーパを形成するのが好ましく、このようにしても、容器を容器台の嵌合凹部に嵌合させるときに、突条を凹溝に係合させるのが容易となる。
【０００９】
また、上記のように構成した自動ミキサーにおいては、突条及び凹溝を垂直方向から水平方向に１５°〜３０°の間で傾斜するのが好ましく、このようにすれば、蓋を上昇させても容器が蓋に吸着されて上昇することなく、かつ、容器を容器台の嵌合凹部に嵌合させるときに、容器を大きく回転させることなく突条を凹溝に摺動させながら係合させることができる。
【図面の簡単な説明】
【００１０】
【図１】本発明の自動ミキサーのフロントパネルを外した正面図である。
【図２】図１のＡ−Ａ線における断面図である。
【図３】図２の回転軸を下降させた状態を示す断面図である。
【図４】（ａ）はカップの側面図であり、（ｂ）は（ａ）のＢ−Ｂ線における端面図である。
【図５】容器台の斜視図である。
【図６】自動ミキサーの電気制御装置のブロック図である。
【図７】自動ミキサーの電気制御装置による制御プログラムを示すフローチャートである。
【図８】従来の自動ミキサーの断面図である。
【発明を実施するための形態】
【００１１】
以下、本発明による自動ミキサーの一実施形態を図面を用いて説明する。本発明に係る自動ミキサー１０は、顧客に提供するカップ２０内で果実、野菜や飲料等の食材を直接細かく切り砕いてジュースを作るための装置であり、食材を切り砕く回転刃４４及びカップ２０から細かく切り砕かれた食材が飛散するのを防止する蓋６１が自動で昇降するようにしたものである。この自動ミキサー１０は、図１及び図２に示すように、果実や飲料等の食材を収容するためのカップ（容器）２０と、カップ２０を載置する容器台３０と、容器台３０に載置したカップ２０の上側で上下方向に移動可能に設けられて切砕用モータ４１により回転する回転軸４３と、回転軸４３の下部に取り付けられてカップ２０内に収容した食材を切り砕く回転刃４４と、容器台３０に載置したカップ２０の上側に上下方向に移動可能に設けられてカップ２０の上部開口を覆う蓋６１とを備え、容器台３０に食材を収容したカップ２０を載置し、蓋６１を下降させることでカップ２０の上部開口を覆うとともに回転刃４４をカップ２０内に下降させて回転させることでカップ２０内の食材を切り砕き、その後、蓋６１と回転刃とを上昇させてカップ２０から離脱させるように制御したものである。而して、この自動ミキサー１０においては、図４及び図５に示すように、容器台３０にはカップ２０の下部が嵌合する嵌合凹部３１を備え、カップ２０の下部外周面には垂直方向から水平方向に所定角度傾斜した複数の突条２１と、容器台３０の嵌合凹部３１の内周面には垂直方向から水平方向に所定角度傾斜してカップ２０の突条２１が上下方向に摺動可能に係合する複数の凹溝３２とを備えている。以下に、本発明に係る自動ミキサー１０について詳述する。
【００１２】
図４に示すように、この自動ミキサー１０に用いるカップ２０は、上側の直径が徐々に大きくなるように形成された略円筒形状の樹脂製のカップであり、カップ２０の下端部（下部）外周面には垂直方向から水平方向に所定角度として２２°傾斜させた複数の突条２１が円周方向に連続して形成されている。カップ２０の突条２１は、幅が２ｍｍ、垂直方向の長さが１０ｍｍ、カップ２０の半径方向となる高さが２ｍｍとなっている。なお、カップ２０の突条２１は、垂直方向から水平方向に２２°傾斜しているが、１５°〜３０°の間で傾斜させてもよい。
【００１３】
自動ミキサー１０は、ハウジング１１の下部にカップ２０を載置するための容器台３０と、ハウジング１１の上部にカップ２０内の材料を切り砕く切砕機構４０と、切砕機構４０を上下方向に移動させる昇降機構５０と、カップ２０の上部開口を覆う被覆機構６０とを備えている。
【００１４】
図２及び図５に示すように、容器台３０は、カップ２０を載置するための格子状をした樹脂部材よりなり、ハウジング１１の下部にて上下方向に移動しないように着脱可能に固定されている。図５に示すように、容器台３０の中心部には、カップ２０の下端部（下部）が嵌合する有底円筒形をした嵌合凹部３１が形成されている。嵌合凹部３１の内周面には、カップ２０の突条２１が上下方向に摺動可能に係合する４つの凹溝３２が設けられている。４つの凹溝３２は、嵌合凹部３１の内周面で等間隔となる位置に設けられており、垂直方向から水平方向に所定角度として２２°傾斜している。凹溝３２は、カップ２０を嵌合凹部３１に嵌合するときに突条２１が挿入される入口部となる上側の幅が広くなるようなテーパが形成されている。凹溝３２は、上端の幅が４ｍｍ、下端の幅が２ｍｍ、垂直方向の長さが１０ｍｍ、深さは２ｍｍとなっている。なお、嵌合凹部３１の凹溝３２は、垂直方向から水平方向に２２°傾斜しているが、カップ２０の突条２１に合わせて１５°〜３０°の間で傾斜させてもよい。
【００１５】
図２に示すように、切砕機構４０は、切砕用モータ４１と、切砕用モータ４１により回転する回転軸４３と、回転軸４３の下端部に取り付けられた回転刃４４とを備えている。切砕用モータ４１は、昇降機構５０により上下方向に移動可能に支持される可動支持板４２の上面に固定されている。切砕用モータ４１の出力軸４１ａは、可動支持板４２を貫通して下方に突出して設けられており、この出力軸４１ａには筒状のジョイント４１ｂにより回転軸４３が連結されている。回転軸４３の下端部には、カップ２０内に収容された食材を細かく切り砕きながら撹拌する回転刃４４が取り付けられている。また、回転軸４３の下端部には、回転刃４４より少し上側に後述する蓋６１を係止させる係止円板４５が設けられている。可動支持板４２には、切砕用モータ４１より後側に後述する昇降機構５０の送りねじ棒５４とガイドロッド５６とを挿通するための貫通孔４２ａ、４２ｂが形成されている。可動支持板４２の下面には、送りねじ棒５４を挿通するための貫通孔４２ａが形成された位置に送りねじ棒５４のねじ部に螺合するナット４６が固定されている。可動支持板４２の上面には、貫通孔４２ｂが形成された位置にガイドロッド５６を案内するための筒状のガイドブッシュ４７が固定されている。
【００１６】
図２に示すように、昇降機構５０は、昇降用モータ５１と、昇降用モータ５１により回転する送りねじ棒５４と、ガイドロッド５６とを備えている。昇降用モータ５１は、切砕機構４０と被覆機構６０とを昇降させるものであり、ハウジング１１の上部にて両側壁に架設された上部支持板５２の下面に固定されている。昇降用モータ５１の出力軸５１ａは、上部支持板５２を貫通して上方に突出して設けられており、この出力軸５１ａにはプーリ５１ｂが取り付けられている。
【００１７】
送りねじ棒５４は、上部支持板５２とハウジング１１の中間部にて両側壁に架設された下部支持板５３とに設けられた各軸受５２ａ、５３ａを介して回転可能に立設して支持されている。送りねじ棒５４は、可動支持板４２の下面のナット４６に螺合した状態で貫通孔４２ａに挿通されている。送りねじ棒５４の上端部にはプーリ５４ａが取り付けられており、このプーリ５４ａと昇降用モータ５１の出力軸５１ａに取り付けられたプーリ５１ｂとの間にはタイミングベルト５５が設けられている。昇降用モータ５１を駆動すると、送りねじ棒５４が回転して可動支持板４２が上下方向に移動する。
【００１８】
ガイドロッド５６は、可動支持板４２から下方に垂下する回転軸４３が容器台３０の嵌合凹部３１に載置したカップ２０の直上位置となるように案内するためのものであり、送りねじ棒５４の前側でこれと平行になるようにして上部支持板５２と下部支持板５３とに支持されている。また、ガイドロッド５６は、可動支持板４２の貫通孔４２ｂ及びガイドブッシュ４７に挿通されている。
【００１９】
図２に示すように、被覆機構６０は、カップ２０の上面開口を覆う蓋６１と、蓋６１を下方に押しつける筒状の重り部材６２と、重り部材６２を下方に付勢するためのアダプタ６３とコイルばね６４とを備えている。蓋６１は、カップ２０の上面開口を覆うものであり、天板６１ａを備えた略円筒形のシリコンゴム部材よりなる。蓋６１の天板６１ａの中心部には回転軸４３が挿通される貫通孔６１ｂが形成されており、この貫通孔６１ｂの周囲には下方に延びて回転軸４３の下端部の係止円板４５の上面に係止する係止筒部６１ｃが形成されている。蓋６１は、天板６１ａの係止筒部６１ｃが回転軸４３の係止円板４５の上面に係止して、回転軸４３とともに上下方向に移動可能に支持されている。蓋６１の下部の外周の大きさは、カップ２０の上部の内周とほぼ隙間なく嵌合可能な大きさである。蓋６１の上下方向の中間部の外周にはカップ２０の上縁に当接して食材の溢出を防ぐための環状のフランジ６１ｄが形成されている。蓋６１の外周上部には、回り止めのための係合突部６１ｅが形成されている。蓋６１の内周面の下部には、カップ２０内で切砕及び撹拌するときの撹拌の効率を良くするための邪魔板部６１ｆが等間隔となるように３箇所に形成されている。
【００２０】
重り部材６２は、自重により蓋６１のフランジ６１ｄをカップ２０の上縁に押圧するためのものであり、適度な重さのある金属製の筒部材よりなる。重り部材６２の下部は、フランジ６１ｄの上側の蓋６１の外周に被嵌されて、ハウジング１１の中間部より下側に設けられた仕切板１２に固定された筒状のホルダ１３に摺動可能に嵌挿されている。重り部材６２の外周面には、垂直方向の凹溝６２ａが等間隔に３つ形成されており、筒状のホルダ１３の内周面には、垂直方向の突条１３ａが等間隔に３つ形成されている。重り部材６２は、凹溝６２ａがホルダ１３の内周面の突条１３ａに摺動可能に係合して回り止めされている。また、重り部材６２の内周面には、蓋６１の外周面の係合突部６１ｅと係合する係合凹部６２ｂが形成されており、蓋６１は係合突部６１ｅが重り部材６２の係合凹部６２ｂに係合している。蓋６１は、重り部材６２及びホルダ１３を介して垂直軸線回りに回転しないようになっている。重り部材６２の内周には、コイルばね６４を係止するための有底円筒形をしたアダプタ６３が嵌挿されており、アダプタ６３は、上端に形成されたフランジ部６３ａが重り部材６２の上端に係止して支持されている。コイルばね６４は、可動支持板４２の下面とアダプタ６３の底板部との間に設けられており、重り部材６２を下方に付勢している。
【００２１】
図６に示すように、自動ミキサー１０は、切砕用モータ４１、昇降用モータ５１及びフロントパネルに設けられた操作パネル１４に接続された電気制御装置７０を備えている。電気制御装置７０は、操作パネル１４の出力信号に応じて内蔵するマイクロコンピュータ７１により下記のプログラムを実行して、切砕用モータ４１及び昇降用モータ５１の作動を制御する。
【００２２】
次に、上記のように構成した自動ミキサー１０を用いた果実のジュースを作るための作動を図７に示すフローチャートを用いて説明する。先ず、適当な大きさにカットした果実と果汁飲料を収容したカップ２０を容器台３０の嵌合凹部３１に嵌挿させる。カップ２０を容器台３０の嵌合凹部３１に嵌挿させるときには、カップ２０の突条２１が嵌合凹部３１の凹溝３２に挿入可能な位置にしてカップ２０を手放せば、カップ２０は突条２１が凹溝３２に摺動しながら下降して嵌合凹部３１に嵌挿される。このとき、カップ２０の突条２１及び嵌合凹部３１の凹溝３２はともに垂直方向から水平方向に２２°傾斜しており、カップ２０を意識的に回転させることのない程度の傾斜となっている。
【００２３】
カップ２０を容器台３０の嵌合凹部３１に嵌合させた状態で、操作パネル１４のスイッチをオンすると、電気制御装置７０は、ステップ１０１に示すように、可動支持板４２が下降するように昇降用モータ５１を駆動させる。可動支持板４２の下降により、図３に示すように、回転軸４３は下端部の回転刃４４がカップ２０内となる位置まで下降する。このとき、回転軸４３とともに下降する蓋６１は、フランジ６１ｄがカップ２０の上縁に係止して止まり、カップ２０の上部開口を覆うようになる。次に、電気制御装置７０は、ステップ１０２に示すように。切砕用モータ４１を駆動させて回転軸４３及び下端部の回転刃４４を回転させるとともに、回転刃４４がカップ２０内で所定回数として３回上下移動するように昇降用モータ５１を駆動させる。これにより、カップ２０内の食材は、細かく切り砕かれて果実のジュースとなる。このとき、カップ２０の上面開口は蓋６１により覆われているので、果実のジュースがカップ２０から飛び散らない。
【００２４】
次に、電気制御装置７０は、ステップ１０３に示すように、可動支持板４２が上昇するように昇降用モータ５１を駆動させる。可動支持板４２の上昇により、回転軸４３は下端部の回転刃４４がカップ２０の上側となる位置まで上昇し、蓋６１は回転軸４３とともに上昇してカップ２０から離脱する。このとき、カップ２０内は回転刃４４の回転により減圧され、蓋６１はカップ２０に吸着していることがある。このような状態で回転軸４３とともに蓋６１を上昇させると、カップ２０が蓋６１とともに上昇しようとする。しかし、蓋６１は回転しないように支持されているのに対し、カップ２０の下端部の突条２１と容器台３０の嵌合凹部３１の凹溝３２とは互いに垂直方向から水平方向に所定角度として２２°傾斜して係合しているので、カップ２０は回転せずに垂直方向に上昇する蓋６１とともに持ち上がることはない。
【００２５】
その後、カップ２０を手で掴んで上方に持ち上げれば、カップ２０の突条２１が嵌合凹部３１の凹溝３２に摺動しながらカップ２０が僅かに回転する。特に、突条２１が凹溝３２に案内されて摺動しながらカップ２０が回転するので、カップ２０を掴んだ手を意識的に回転させることなくカップ２０を持ち上げることが可能となる。このように、カップ２０を取り出すのに大きな力を加えたり、例えばカップ２０と嵌合凹部３１とに鍵形の係合部を設けたときのような複雑な動きをさせたりすることなく、カップ２０を容易に取り外すことができる。これにより、カップ２０を取り出すときに、果実のジュースがこぼれ落ちにくくなる。
【００２６】
上記のように構成した自動ミキサー１０においては、容器台３０にはカップ２０の下端部が上方から嵌合する嵌合凹部３１を備え、カップ２０の下部外周面には垂直方向から水平方向に所定角度として２２°傾斜した複数の突条２１を備え、容器台３０の嵌合凹部３１の内周面には垂直方向から水平方向に所定角度として２２°傾斜してカップ２０の突条２１が上下方向に摺動可能に係合する複数の凹溝３２を備えている。カップ２０内の食材を回転刃４４の回転により切り砕いた後で、カップ２０の上面開口を覆う蓋６１を上昇させるときに、蓋６１が容器台３０の嵌合凹部３１に嵌合させたカップ２０に吸着したとしても、蓋６１は回転不能となっているのに対し、カップ２０と容器台３０とは垂直方向から水平方向に所定角度として２２°傾斜した突条２１と凹溝３２とが係合しているので、カップ２０は蓋６１とともに上昇しないようになる。また、カップ２０を回転させる等して突条２１を凹溝３２に摺動させれば、カップ２０を容器台３０の嵌合凹部３１に複雑な動きをさせることなく嵌合させることができ、また、カップ２０を容器台３０の嵌合凹部３１から大きな力を加えることなく取り外すことができる。
【００２７】
また、自動ミキサー１０においては、容器台３０の嵌合凹部３１の凹溝３２は、カップ２０の突条２１に対する入口部となる上側の幅が広くなるテーパが形成されているので、カップ２０の突条２１を凹溝３２に係合させるのが容易となる。
【００２８】
また、自動ミキサー１０においては、カップ２０の突条２１及び容器台３０の嵌合凹部３１の凹溝３２を垂直方向から水平方向に１５°〜３０°の間で傾斜させるのが最適であり、蓋６１を上昇させてもカップ２０が蓋６１に吸着されて上昇することなく、かつ、カップ２０を容器台３０の嵌合凹部３１に嵌合させるときに、カップ２０を大きく回転させることなく突条２１を凹溝３２に摺動させながら係合させることができる。
【００２９】
なお、本実施形態においては、カップ２０の下端部の外周面に突条２１を設け、容器台３０の嵌合凹部３１の内周面に凹溝３２を設けているが、本発明はこれに限られるものでなく、カップ２０の下端部の外周面に凹溝を設け、容器台３０の嵌合凹部３１の内周面に突条を設けるようにしても同様の作用効果を得ることができる。
【００３０】
また、本実施形態においては、容器台３０の凹溝３２は、カップ２０の突条２１に対する入口部となる上側の幅が広くなるテーパが形成されているのが、本発明はこれに限られるものでなく、カップ２０の突条２１は凹溝３２に対する入口部となる下側の幅が狭くなるテーパを形成しても同様の作用効果を得ることができる。また、上記のカップ２０の下端部の外周面に凹溝を設け、容器台３０の嵌合凹部３１の内周面に突条を設けたときも同様に、カップ２０の下端部の凹溝は嵌合凹部３１の突条に対する入口部となる下側の幅が広くなるテーパ、または、嵌合凹部３１の突条はカップ２０の下端部の凹溝に対する入口部となる上側の幅が狭くなるテーパを形成しても同様の作用効果を得ることができる。
【符号の説明】
【００３１】
１０…自動ミキサー、２０…容器（カップ）、２１…突条、３０…容器台、３１…嵌合凹部、３２…凹溝、４１…モータ（切砕用モータ）、４３…回転軸、４４…回転刃、６１…蓋。
【図１】
2011156226.tif 000003
【図２】
2011156226.tif 000004
【図３】
2011156226.tif 000005
【図４】
2011156226.tif 000006
【図５】
2011156226.tif 000007
【図６】
2011156226.tif 000008
【図７】
2011156226.tif 000009
【図８】
2011156226.tif 000010